【手続補正書】
【提出日】平成22年1月21日(2010.1.21)
【手続補正１】
【補正対象書類名】特許請求の範囲
【補正対象項目名】全文
【補正方法】変更
【補正の内容】
【特許請求の範囲】
【請求項１】
建築物の躯体内の環境を管理する躯体内環境管理システムであって、
前記建築物の外部と前記躯体内とを連通する少なくとも１つの連通口を有し、該連通口を開閉し、前記躯体内を換気する換気状態と前記躯体内を換気しない非換気状態とに切り換わる換気手段と、
季節を判別する季節判別手段と、
前記建築物の外気の湿度の情報を取得する外気湿度取得手段と、
前記躯体内の湿度の情報を取得する躯体内湿度取得手段と、
前記季節判別手段により判別された季節と、前記外気湿度取得手段により得られた前記建築物の外気の湿度と、前記躯体内湿度取得手段により得られた前記躯体内の湿度とに基づいて、前記換気手段の作動を制御する換気制御手段とを備えることを特徴とする躯体内環境管理システム。
【請求項２】
前記外気湿度取得手段は、通信回線を介して、気象情報から前記建築物の外気の湿度の情報を取得するよう構成されている請求項１に記載の躯体内環境管理システム。
【請求項３】
前記建築物の外部の気温の情報を取得する外気温取得手段を有し、
前記季節判別手段は、前記外気温取得手段により得られた前記建築物の外部の気温に基づいて季節を判別するよう構成されている請求項１または２に記載の躯体内環境管理システム。
【請求項４】
前記季節判別手段は、前記建築物の外部の複数日の平均気温に基づいて季節を判別するよう構成されている請求項３に記載の躯体内環境管理システム。
【請求項５】
前記外気温取得手段は、通信回線を介して、気象情報から前記建築物の外部の気温の情報を取得するよう構成されている請求項３または４に記載の躯体内環境管理システム。
【請求項６】
月日の情報を取得するカレンダー手段を有し、
前記季節判別手段は、前記カレンダー手段により得られた月日に基づいて季節を判別するよう構成されている請求項１または２に記載の躯体内環境管理システム。
【請求項７】
前記季節判別手段は、少なくとも夏と冬とを判別するよう構成されており、
前記季節判別手段により夏と判別された場合は、前記換気手段の作動モードを夏モードに設定し、前記季節判別手段により冬と判別された場合は、前記換気手段の作動モードを冬モードに設定するモード設定手段を有する請求項１ないし６のいずれかに記載の躯体内環境管理システム。
【請求項８】
前記換気手段は、前記建築物の外部と前記躯体内とを連通する第１の連通口を有し、該第１の連通口を開閉して前記躯体内を換気する第１の換気部と、
前記第１の換気部より下方の位置に設けられ、前記建築物の外部と前記躯体内とを連通する第２の連通口を有し、該第２の連通口を開閉して前記躯体内を換気する第２の換気部とを備える請求項７に記載の躯体内環境管理システム。
【請求項９】
前記躯体の内部には、小屋空間および床下空間が形成されており、
前記第１の連通口は、前記建築物の外部と前記小屋空間とを連通し、前記第２の連通口は、前記建築物の外部と前記床下空間とを連通する請求項８に記載の躯体内環境管理システム。
【請求項１０】
前記夏モードにおける前記換気状態は、前記第１の連通口および前記第２の連通口を開いた状態、前記非換気状態は、前記第１の連通口および前記第２の連通口を閉じた状態であり、
前記冬モードにおける前記換気状態は、前記第１の連通口と前記第２の連通口とのうちの一方を開き、他方を閉じた状態、前記非換気状態は、前記第１の連通口および前記第２の連通口を閉じた状態である請求項８または９に記載の躯体内環境管理システム。
【請求項１１】
前記建築物の外気の湿度をφ１、前記躯体内の湿度をφ２としたとき、
前記換気制御手段は、前記夏モードにおいては、φ２＜ａ・φ１（但し、ａ≧１．０５）の場合は、前記換気手段を前記非換気状態にし、
φ２≧ａ・φ１（但し、ａ≧１．０５）の場合は、前記換気手段を前記換気状態にするよう構成されている請求項７ないし１０のいずれかに記載の躯体内環境管理システム。
【請求項１２】
前記建築物の外気の湿度をφ１、前記躯体内の湿度をφ２としたとき、
前記換気制御手段は、前記冬モードにおいては、ｂ・φ２≦φ１（但し、ｂ≧１．０５）の場合は、前記換気手段を前記非換気状態にし、
ｂ・φ２＞φ１（但し、ｂ≧１．０５）の場合は、前記換気手段を前記換気状態にするよう構成されている請求項７ないし１１のいずれかに記載の躯体内環境管理システム。
【請求項１３】
前記建築物の外部の気温の情報を取得する外気温取得手段と、
前記躯体内の気温の情報を取得する躯体内気温取得手段とを有し、
前記建築物の外部の気温をＴ１、前記躯体内の気温をＴ２、前記建築物の外気の湿度をφ１、前記躯体内の湿度をφ２としたとき、
前記換気制御手段は、前記夏モードにおいては、φ２＜ａ・φ１（但し、ａ≧１．０５）、Ｔ２＞ｃ・Ｔ１（但し、ｃは係数）の場合は、前記換気手段を前記換気状態にし、
φ２＜ａ・φ１（但し、ａ≧１．０５）、Ｔ２≦ｃ・Ｔ１（但し、ｃ≧１．０５）の場合は、前記換気手段を前記非換気状態にし、
φ２≧ａ・φ１（但し、ａ≧１．０５）、ｄ・Ｔ２＞Ｔ１（但し、ｄ≧１．０５）の場合は、前記換気手段を前記換気状態にし、
φ２≧ａ・φ１（但し、ａ≧１．０５）、ｄ・Ｔ２≦Ｔ１（但し、ｄ≧１．０５）の場合は、前記換気手段を前記非換気状態にするよう構成されている請求項７ないし１０のいずれかに記載の躯体内環境管理システム。
【請求項１４】
前記建築物の外部の気温の情報を取得する外気温取得手段と、
前記躯体内の気温の情報を取得する躯体内気温取得手段とを有し、
前記建築物の外部の気温をＴ１、前記躯体内の気温をＴ２、前記建築物の外気の湿度をφ１、前記躯体内の湿度をφ２としたとき、
前記換気制御手段は、前記冬モードにおいては、ｂ・φ２＞φ１（但し、ｂ≧１．０５）、Ｔ２＞ｅ・Ｔ１（但し、ｅ≧１．０５）の場合は、前記換気手段を前記非換気状態にし、
ｂ・φ２＞φ１（但し、ｂ≧１．０５）、Ｔ２≦ｅ・Ｔ１（但し、ｅ≧１．０５）の場合は、前記換気手段を前記換気状態にし、
ｂ・φ２≦φ１（但し、ｂ≧１．０５）、ｆ・Ｔ２＞Ｔ１（但し、ｆ≧１．０５）の場合は、前記換気手段を前記非換気状態にし、
ｂ・φ２≦φ１（但し、ｂ≧１．０５）、ｆ・Ｔ２≦Ｔ１（但し、ｆ≧１．０５）の場合は、前記換気手段を前記換気状態にするよう構成されている請求項７ないし１０、１３のいずれかに記載の躯体内環境管理システム。
【請求項１５】
前記外気温取得手段は、通信回線を介して、気象情報から前記建築物の外部の気温の情報を取得するよう構成されている請求項１３または１４に記載の躯体内環境管理システム。
【請求項１６】
前記躯体内の結露を検出する結露検出手段を有し、
前記換気制御手段は、前記結露検出手段により前記躯体内の結露が検知された場合は、他の条件にかかわらず、前記換気手段を前記換気状態にするよう構成されている請求項１ないし１５のいずれかに記載の躯体内環境管理システム。
【手続補正２】
【補正対象書類名】明細書
【補正対象項目名】００１８
【補正方法】変更
【補正の内容】
【００１８】
（１２）  前記建築物の外気の湿度をφ１、前記躯体内の湿度をφ２としたとき、
前記換気制御手段は、前記冬モードにおいては、ｂ・φ２≦φ１（但し、ｂ≧１．０５）の場合は、前記換気手段を前記非換気状態にし、
ｂ・φ２＞φ１（但し、ｂ≧１．０５）の場合は、前記換気手段を前記換気状態にするよう構成されている上記（７）ないし（１１）のいずれかに記載の躯体内環境管理システム。
【手続補正３】
【補正対象書類名】明細書
【補正対象項目名】００６１
【補正方法】変更
【補正の内容】
【００６１】
また、住宅１０の外気の湿度をφ１、躯体２０内の湿度をφ２としたとき、制御装置６は、夏モードにおいては、φ２＜ａ・φ１の場合は、換気部５１〜５３（換気手段）を非換気状態にし、φ２≧ａ・φ１の場合は、換気部５１〜５３（換気手段）を換気状態にし、冬モードにおいては、ｂ・φ２≦φ１の場合は、換気部５１〜５３（換気手段）を非換気状態にし、ｂ・φ２＞φ１の場合は、換気部５１〜５３（換気手段）を換気状態にするよう構成されている。
【手続補正４】
【補正対象書類名】明細書
【補正対象項目名】０１３３
【補正方法】変更
【補正の内容】
【０１３３】
１                躯体内環境管理システム
１０              住宅
２０              躯体
２１              屋根部
２２              外壁部
２３              断熱材
２４              基台部
２５１、２６１、２７１  内壁部
２５２、２６２、２７２  天井
２５３、２６３、２７３  床
３１、３２、３３  室
４０              躯体内空間
４１              小屋空間
４２              床下空間
４３              ふところ空間
４４、４５、４６  内壁空間
５１              第１の換気部
５１１            第１の連通口
５２、５３        第２の換気部
５２１、５３１    第２の連通口
６                制御装置
６１              ＣＰＵ
６２              メモリ
６３              カレンダー手段
７１              表示部
７２              操作部
８１              結露センサ
８２、８３        湿度センサ
８４、８５        温度センサ
Ｓ１０１〜Ｓ１１０  ステップ
Ｓ２０１〜Ｓ２０９  ステップ
Ｓ３０１〜Ｓ３１４  ステップ
Ｓ４０１〜Ｓ４０３  ステップ
Ｓ５０１〜Ｓ５０３  ステップ